(57)【要約】【課題】高い耐汚染性を備え、使用寿命が長く、汚水処理コスト及び運営コストを大きく低下させるＳＭＴ廃水処理設備を提供すること。【解決手段】パイプラインで接続される三つの循環槽システム１，１ａ，１ｂを含むＳＭＴ廃水処理設備１００において、各循環槽システム１，１ａ，１ｂは、前記パイプラインにより接続されるフィルタＦ、低圧ポンプＭ１、高圧ポンプＭ２、逆浸透膜２を含み、前記逆浸透膜２から濾過された透析液が、透析液貯留タンク３に流れ、即ち前記逆浸透膜２からの濃縮液が、針弁Ｖ及び熱交換器４を経由して、新たに前記循環槽システム或は濃縮液貯留槽６に回流する。【選択図】  図１
0003198383.tif 000002
【実用新案登録請求の範囲】
【請求項１】
パイプラインで接続される三つの循環槽システム（１，１ａ，１ｂ）を含むＳＭＴ廃水処理設備（１００）において、各循環槽システム（１，１ａ，１ｂ）は、前記パイプラインにより接続されるフィルタ（Ｆ）、低圧ポンプ（Ｍ１）、高圧ポンプ（Ｍ２）、逆浸透膜（２）を含み、前記逆浸透膜（２）から濾過された透析液が、透析液貯留タンク（３）に流れる、即ち前記逆浸透膜（２）からの濃縮液が、針弁（Ｖ）及び熱交換器（４）を経由して、新たに前記循環槽システム或は濃縮液貯留槽（６）に回流する
ことを特徴とするＳＭＴ廃水処理設備。
【請求項２】
前記パイプラインと接続される洗浄槽（５）を更に含み、前記洗浄槽（５）が、前記循環槽システム（１）と共に、前記パイプラインを介してそれぞれ前記フィルタ（Ｆ）、低圧ポンプ（Ｍ１）、高圧ポンプ（Ｍ２）、逆浸透膜（２）に接続される
ことを特徴とする請求項１に記載のＳＭＴ廃水処理設備。
【請求項３】
前記フィルタ（Ｆ）と低圧ポンプ（Ｍ１）との間に透過膜用の導電率計（Ｃ１）が設置される
ことを特徴とする請求項１に記載のＳＭＴ廃水処理設備。
【請求項４】
前記低圧ポンプ（Ｍ１）と高圧ポンプ（Ｍ２）との間に水圧スイッチ（Ｐ１）が設置されている
ことを特徴とする請求項１に記載のＳＭＴ廃水処理設備。
【請求項５】
前記高圧ポンプ（Ｍ２）と前記逆浸透膜（２）との間には圧力伝送器（Ｐ２）が設置されている
ことを特徴とする請求項１に記載のＳＭＴ廃水処理設備。
【請求項６】
前記第一循環槽システム（１）における前記逆浸透膜（２）からの透析液が、第二循環槽システム（１ａ）に流れる、即ち第一循環システム（１）から処理された濃縮液が、第三循環槽システム（１ｂ）に流れる
ことを特徴とする請求項１に記載のＳＭＴ廃水処理設備。
【請求項７】
前記第二循環槽システム（１ａ）における前記逆浸透膜（２）からの濃縮液が前記針弁（Ｖ）を介して前記第一循環槽システム（１）に回流し、前記第二循環槽システム（１ａ）にある前記逆浸透膜（２）からの透析液が前記透析液貯留タンク（３）に流れる
ことを特徴とする請求項６に記載のＳＭＴ廃水処理設備。
【請求項８】
前記第三循環槽システム（１ｂ）にある前記逆浸透膜（２）からの前記透析液が、前記第二循環槽システム（１ａ）に流れる、即ち前記第三循環槽システム（１ｂ）にある前記逆浸透膜（２）からの前記濃縮液が、直接的に前記冷水機（４）を介して前記第三循環槽システム（１ｂ）に回流する
ことを特徴とする請求項７に記載のＳＭＴ廃水処理設備。
【請求項９】
前記第三循環槽システム（１ｂ）にある前記逆浸透膜（２）からの濃縮液が更に濃縮液貯留槽（６）に流れる
ことを特徴とする請求項８に記載のＳＭＴ廃水処理設備。
【請求項１０】
前記循環槽システムの各槽内には、それぞれ最低水準線、実行水準線、分流水準線及び最高水準線が設置される
ことを特徴とする請求項１に記載のＳＭＴ廃水処理設備。
【考案の詳細な説明】
【技術分野】
【０００１】
本考案は、ＳＭＴ廃水処理の技術分野に関し、特に高い耐汚染性を備え、使用寿命が長い、汚水処理コスト及び運営コストを低下させるＳＭＴ廃水処理設備に関する。
【背景技術】
【０００２】
社会が絶えず進歩していることにより、電子製品例えばコンピュータ、携帯電話等の先端技術電子機器が普及しており、電子製品の需要が向上している。工場で電子製品を製造する場合、ＳＭＴ製造ラインに大量の廃水を発生させる。ＳＭＴ廃水は、汚染物含有総量或は濃度が高く、排出基準を達できないか、或は環境容量規制に合致しない。そのため、水環境の品質及び機能目標を満たすよう人工で処理しなければならない。
【考案の概要】
【考案が解決しようとする課題】
【０００３】
本考案の目的は、高い耐汚染性を備え、使用寿命が長い、汚水処理コスト及び運営コストを低下させるＳＭＴ廃水処理設備を提供することである。
【課題を解決するための手段】
【０００４】
前記目的を達成するために、本考案によれば、パイプラインで接続される三つの循環槽システムを含むＳＭＴ廃水処理設備において、各循環槽システムは、前記パイプラインにより接続されるフィルタ、低圧ポンプ、高圧ポンプ、逆浸透膜を含み、前記逆浸透膜から濾過された透析液が、透析液貯留タンクに流れ、即ち前記逆浸透膜からの濃縮液が、針弁及び熱交換器を経由して、新たに前記循環槽システム或は濃縮液貯留槽に回流することを特徴とする。
更に一実施例においては、前記パイプラインと接続される洗浄槽を更に含み、前記洗浄槽が、前記循環槽システムと共に、前記パイプラインを介してそれぞれ前記フィルタ、低圧ポンプ、高圧ポンプ、逆浸透膜に接続される。
更に一実施例においては、前記フィルタと低圧ポンプとの間に透過膜用の導電率計が設置される。
更に一実施例においては、前記低圧ポンプと高圧ポンプとの間に水圧スイッチが設置されている。
更に一実施例においては、前記高圧ポンプと前記逆浸透膜との間には圧力伝送器が設置されている。
更に一実施例においては、前記第一循環槽システムにおける前記逆浸透膜からの透析液が、第二循環槽システムに流れる、即ち第一循環システムから処理された濃縮液が、第三循環槽システムに流れる。
更に一実施例においては、前記第二循環槽システムにおける前記逆浸透膜からの濃縮液が前記針弁を介して前記第一循環槽システムに回流し、前記第二循環槽システムにある前記逆浸透膜からの透析液が前記透析液貯留タンクに流れる。
更に一実施例においては、前記第三循環槽システムにある前記逆浸透膜からの前記透析液が、前記第二循環槽システムに流れる、即ち前記第三循環槽システムにある前記逆浸透膜からの前記濃縮液が、直接的に前記冷水機を介して前記第三循環槽システムに回流する。
更に一実施例においては、前記第三循環槽システムにある前記逆浸透膜からの濃縮液が更に濃縮液貯留槽に流れる。
更に一実施例においては、前記循環槽システムの各槽内には、それぞれ最低水準線、実行水準線、分流水準線及び最高水準線が設置される。
【考案の効果】
【０００５】
従来の技術と比べて、本考案のＳＭＴ廃水処理設備は、主にＳＭＴ助?剤の洗浄中の水洗プロセスで生じる廃水を回収利用できる。該システムは、高い耐汚染性及び使用寿命の長い特性を備え、根本的に廃水合格排出の問題を解決できるだけでなく、更に顧客の投資コスト及び運営コストを低下させ、経済及び環境のデイアル収益をもたらす。
【図面の簡単な説明】
【０００６】
【図１】本考案のＳＭＴ廃水処理設備の一実施例のブロック図。
【図２】本考案のＳＭＴ廃水処理設備の他の実施例のブロック図。
【考案を実施するための形態】
【０００７】
以下図面を参考して本考案の一実施例を説明する。図１に示すように、本考案のＳＭＴ廃水処理設備１００は、パイプラインで接続される三つの循環槽システム１，１ａ，１ｂを含む。各循環槽システムは、前記パイプラインにより接続されるフィルタＦ、低圧ポンプＭ１、高圧ポンプＭ２、逆浸透膜２を含む。前記逆浸透膜２から濾過された透析液が、透析液貯留タンク３に流れる。即ち前記逆浸透膜２からの濃縮液が、針弁Ｖ及び熱交換器４を経由して、新たに前記循環槽システム或は濃縮液貯留槽６に回流する。
【０００８】
一実施例では前記パイプラインと接続される洗浄槽５を更に含む。前記洗浄槽５が、前記循環槽システム１と共に、前記パイプラインを介してそれぞれ前記フィルタＦ、低圧ポンプＭ１、高圧ポンプＭ２、逆浸透膜２に接続される。
【０００９】
一実施例では、前記フィルタＦと低圧ポンプＭ１との間に、透過膜用の導電率計Ｃ１が設置される。
一実施例では、前記低圧ポンプＭ１と高圧ポンプＭ２との間に、水圧スイッチＰ１が設置される。
一実施例では、前記高圧ポンプＭ２と前記逆浸透膜２との間にが、圧力伝送器Ｐ２設置される。
一実施例では、前記循環槽システムにおける第一循環槽システム１にある前記逆浸透膜２からの透析液が、更に第二循環槽システム１ａに流れる。即ち第一循環システム１から処理された濃縮液が第三循環槽システム１ｂに流れる。ＳＭＴ廃水は前記第一循環槽システム１に流れ込む。
【００１０】
図１のように示す三つの前記循環槽システム１，１ａ，１ｂのうちで、前記第二循環槽システム１ａにある前記逆浸透膜２からの濃縮液が、前記針弁Ｖを介して前記第一循環槽システム１に回流する。即ち前記第二循環槽システム１ａにある前記逆浸透膜２からの透析液が前記透析液貯留タンク３に流れる。前記逆浸透膜２と前記透析液貯留タンク３との間には、更に液体透過用の導電率計Ｃ２が設置される。
【００１１】
図１のように示す三つの前記循環槽システム１，１ａ，１ｂのうちで、前記第三循環槽システム１ｂにある前記逆浸透膜２からの透析液が、前記第二循環槽システム１ａに流れ、前記第三循環槽システム１ｂにある前記逆浸透膜２からの前記濃縮液が、直接的に前記冷水機４を介して前記第三循環槽システム１ｂに流れる。
一実施例では、前記第三循環槽システム１ｂにある前記逆浸透膜２からの濃縮液が、更に濃縮液貯留槽６にも流れる。
一実施例では、前記循環槽システムの各槽内には、それぞれ最低水準線、実行水準線、分流水準線及び最高水準線が設置される。前記第二循環槽１ａを例として、その最低水準線７、実行準線８、分流水準線９及び最高水準線１０は、その図面に点線により表示されている。
【００１２】
図２のように示す実施例にいては、第一番目の循環槽、第二番目の循環槽、第三番目の循環槽を含む。図２においては、符号Ｆがフィルタ、符号Ｍ１が低圧ポンプ、符号Ｍ２が高圧ポンプ、符号Ｍ３表示加水ポンプ、符号Ｍ４が濃縮水排出ポンプ、符号ｍが水量計、符号Ｖが高圧調節弁、符号Ｃ２が液体透過用の導電率計、符号Ｃ１が浸透膜用の導電率計、符号Ｐ２表示圧力伝送器、符号Ｐ１が水圧スイッチをそれぞれ表す。この実施例の動作原理は、図１の示す実施例のそれと同じである。異なる点は、逆浸透膜２から処理された濃縮液が熱交換器２０を通過して各循環槽に回流し、冷水機２１が各熱交換器２０と共に循環冷却水流を形成する点である。
【００１３】
以上の説明は、本考案の一実施例に関するもので、この技術分野の当業者であれば、本考案の種々の変形例を考え得るが、それらはいずれも本考案の技術的範囲に包含される。特許請求の範囲の構成要素の後に記載した括弧内の番号は、図面の部品番号に対応し、考案の容易なる理解の為に付したものであり、考案を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【図１】
0003198383.tif 000003
【図２】
0003198383.tif 000004
【手続補正書】
【提出日】平成27年5月1日(2015.5.1)
【手続補正１】
【補正対象書類名】実用新案登録請求の範囲
【補正対象項目名】全文
【補正方法】変更
【補正の内容】
【実用新案登録請求の範囲】
【請求項１】
パイプラインで接続される三つの循環槽システム（１，１ａ，１ｂ）を含むＳＭＴ廃水処理設備（１００）において、各循環槽システム（１，１ａ，１ｂ）は、前記パイプラインにより接続されるフィルタ（Ｆ）、低圧ポンプ（Ｍ１）、高圧ポンプ（Ｍ２）、逆浸透膜（２）を含み、前記逆浸透膜（２）から濾過された透析液が、透析液貯留タンク（３）に流れる、即ち前記逆浸透膜（２）からの濃縮液が、針弁（Ｖ）及び熱交換器（４）を経由して、新たに前記循環槽システム或は濃縮液貯留槽（６）に回流する
ことを特徴とするＳＭＴ廃水処理設備。
【請求項２】
前記パイプラインと接続される洗浄槽（５）を更に含み、前記洗浄槽（５）が、前記循環槽システム（１）と共に、前記パイプラインを介してそれぞれ前記フィルタ（Ｆ）、低圧ポンプ（Ｍ１）、高圧ポンプ（Ｍ２）、逆浸透膜（２）に接続される
ことを特徴とする請求項１に記載のＳＭＴ廃水処理設備。
【請求項３】
前記フィルタ（Ｆ）と低圧ポンプ（Ｍ１）との間に透過膜用の導電率計（Ｃ１）が設置される
ことを特徴とする請求項１に記載のＳＭＴ廃水処理設備。
【請求項４】
前記低圧ポンプ（Ｍ１）と高圧ポンプ（Ｍ２）との間に水圧スイッチ（Ｐ１）が設置されている
ことを特徴とする請求項１に記載のＳＭＴ廃水処理設備。
【請求項５】
前記高圧ポンプ（Ｍ２）と前記逆浸透膜（２）との間には圧力伝送器（Ｐ２）が設置されている
ことを特徴とする請求項１に記載のＳＭＴ廃水処理設備。
【請求項６】
前記第一循環槽システム（１）における前記逆浸透膜（２）からの透析液が、第二循環槽システム（１ａ）に流れる、即ち第一循環システム（１）から処理された濃縮液が、第三循環槽システム（１ｂ）に流れる
ことを特徴とする請求項１に記載のＳＭＴ廃水処理設備。
【請求項７】
前記第二循環槽システム（１ａ）における前記逆浸透膜（２）からの濃縮液が前記針弁（Ｖ）を介して前記第一循環槽システム（１）に回流し、前記第二循環槽システム（１ａ）にある前記逆浸透膜（２）からの透析液が前記透析液貯留タンク（３）に流れる
ことを特徴とする請求項６に記載のＳＭＴ廃水処理設備。
【請求項８】
前記第三循環槽システム（１ｂ）にある前記逆浸透膜（２）からの前記透析液が、前記第二循環槽システム（１ａ）に流れる、即ち前記第三循環槽システム（１ｂ）にある前記逆浸透膜（２）からの前記濃縮液が、直接的に前記熱交換機（４）を介して前記第三循環槽システム（１ｂ）に回流する
ことを特徴とする請求項７に記載のＳＭＴ廃水処理設備。
【請求項９】
前記第三循環槽システム（１ｂ）にある前記逆浸透膜（２）からの濃縮液が更に濃縮液貯留槽（６）に流れる
ことを特徴とする請求項８に記載のＳＭＴ廃水処理設備。
【請求項１０】
前記循環槽システムの各槽内には、それぞれ最低水準線、実行水準線、分流水準線及び最高水準線が設置される
ことを特徴とする請求項１に記載のＳＭＴ廃水処理設備。
【手続補正２】
【補正対象書類名】明細書
【補正対象項目名】０００４
【補正方法】変更
【補正の内容】
【０００４】
前記目的を達成するために、本考案によれば、パイプラインで接続される三つの循環槽システムを含むＳＭＴ廃水処理設備において、各循環槽システムは、前記パイプラインにより接続されるフィルタ、低圧ポンプ、高圧ポンプ、逆浸透膜を含み、前記逆浸透膜から濾過された透析液が、透析液貯留タンクに流れ、即ち前記逆浸透膜からの濃縮液が、針弁及び熱交換器を経由して、新たに前記循環槽システム或は濃縮液貯留槽に回流することを特徴とする。
更に一実施例においては、前記パイプラインと接続される洗浄槽を更に含み、前記洗浄槽が、前記循環槽システムと共に、前記パイプラインを介してそれぞれ前記フィルタ、低圧ポンプ、高圧ポンプ、逆浸透膜に接続される。
更に一実施例においては、前記フィルタと低圧ポンプとの間に透過膜用の導電率計が設置される。
更に一実施例においては、前記低圧ポンプと高圧ポンプとの間に水圧スイッチが設置されている。
更に一実施例においては、前記高圧ポンプと前記逆浸透膜との間には圧力伝送器が設置されている。
更に一実施例においては、前記第一循環槽システムにおける前記逆浸透膜からの透析液が、第二循環槽システムに流れる、即ち第一循環システムから処理された濃縮液が、第三循環槽システムに流れる。
更に一実施例においては、前記第二循環槽システムにおける前記逆浸透膜からの濃縮液が前記針弁を介して前記第一循環槽システムに回流し、前記第二循環槽システムにある前記逆浸透膜からの透析液が前記透析液貯留タンクに流れる。
更に一実施例においては、前記第三循環槽システムにある前記逆浸透膜からの前記透析液が、前記第二循環槽システムに流れる、即ち前記第三循環槽システムにある前記逆浸透膜からの前記濃縮液が、直接的に前記熱交換機を介して前記第三循環槽システムに回流する。
更に一実施例においては、前記第三循環槽システムにある前記逆浸透膜からの濃縮液が更に濃縮液貯留槽に流れる。
更に一実施例においては、前記循環槽システムの各槽内には、それぞれ最低水準線、実行水準線、分流水準線及び最高水準線が設置される。
【手続補正３】
【補正対象書類名】明細書
【補正対象項目名】００１１
【補正方法】変更
【補正の内容】
【００１１】
図１のように示す三つの前記循環槽システム１，１ａ，１ｂのうちで、前記第三循環槽システム１ｂにある前記逆浸透膜２からの透析液が、前記第二循環槽システム１ａに流れ、前記第三循環槽システム１ｂにある前記逆浸透膜２からの前記濃縮液が、直接的に前記熱交換機４を介して前記第三循環槽システム１ｂに流れる。
一実施例では、前記第三循環槽システム１ｂにある前記逆浸透膜２からの濃縮液が、更に濃縮液貯留槽６にも流れる。
一実施例では、前記循環槽システムの各槽内には、それぞれ最低水準線、実行水準線、分流水準線及び最高水準線が設置される。前記第二循環槽１ａを例として、その最低水準線７、実行準線８、分流水準線９及び最高水準線１０は、その図面に点線により表示されている。